(57)【要約】【課題】インターホン装置と情報幹線設備を統合化し、一つの設備でインターホン装置および情報幹線設備を敷設する。【解決手段】インターホンの通話の交換制御を行うための制御装置１と、制御装置で交換制御されて通話をする複数個の端末機３ａ、３ｂ、３ｃ、・・・とを備え、制御装置には、ローカルエリアネットワークＬＡＮなどの情報幹線５を集線化し収容するための制御装置集線回路１２を設ける。【選択図】　図１
2004120162.tif 000002
【特許請求の範囲】
【請求項１】
インターホンの通話の交換制御を行うための制御装置（１）と、前記制御装置で交換制御されて通話をする複数個の端末機（３ａ、３ｂ、３ｃ、・・・）とを備え、
前記制御装置には、ローカルエリアネットワーク（ＬＡＮ）などの情報幹線（５）を集線化し収容するための制御装置集線回路（１２）を設けたことを特徴とするインターホン装置。
【請求項２】
インターホンの通話の交換制御を行うための制御装置（１）と、前記制御装置で交換制御されて通話をする複数個の端末機（３ａ、３ｂ、３ｃ、・・・）とを備え、
前記インターホンの通話や制御データを中継するための中継装置（４ａ、４ｂ、４ｃ、・・・）に、ローカルエリアネットワーク（ＬＡＮ）などの情報幹線（５）を集線化し収容するための中継装置集線回路（４１）を設けたことを特徴とするインターホン装置。
【請求項３】
インターホンの通話の交換制御を行うための制御装置（１）と、前記制御装置で交換制御されて通話をする複数個の端末機（３ａ、３ｂ、３ｃ、・・・）とを備え、
前記端末機に、ローカルエリアネットワーク（ＬＡＮ）などの情報幹線を集線化し収容するための端末機集線回路（３１）を備えたことを特徴とするインターホン装置。
【請求項４】
パーソナルコンピュータ（７）等の情報機器を、前記制御装置に直接接続することができるようにするために接続端子としての情報コンセント（１１）を備えたことを特徴とする請求項１記載のインターホン装置。
【請求項５】
パーソナルコンピュータ（７）等の情報機器を、前記中継装置に直接接続するための接続端子としての情報コンセント（４２）を備えたことを特徴とする請求項２記載のインターホン装置。
【請求項６】
パーソナルコンピュータ（７）等の情報機器を、前記端末機に直接接続することができるようにするために接続端子としての情報コンセント（３２）を備えたことを特徴とする請求項３記載のインターホン装置。
【請求項７】
前記中継装置集線回路は、前記情報幹線、インターホンの通話に使用するインターホン幹線（６）で異常があった場合やトラフィックの状態に応じて前記インターホン幹線と前記情報幹線とが相互に空き回線を融通し使用するためのプロトコル変換回路（４１ａ）を備えたことを特徴とする請求項２乃至請求項６何れか１項記載のインターホン装置。
【請求項８】
前記中継装置集線回路は、個々の接続先へのデータのセキュリティーを確保するために、個々の接続先のアドレスを学習し接続先以外へデータを流すことを防止するスイッチ回路（４１ｂ）を備えたことを特徴とする請求項２乃至請求項７何れか１項記載のインターホン装置。
【発明の詳細な説明】
【０００１】
【発明の属する技術分野】
本発明は、インターホン装置に係わり、特に情報幹線設備と統合化を図ったインターホン装置に関する。
【０００２】
【従来の技術】
従来から、この種のインターホン装置と情報幹線設備の全体構成として、図２に示すようなものが知られている（例えば、特許文献１参照）。
【０００３】
同図において、まずインターホン装置は、通話回線の交換制御を行う制御装置１００と、通話やセキュリティー発報等を行う端末機１１０ａ、１１０ｂ、１１０ｃ、・・・と、制御装置１００および各端末機１１０ａ、１１０ｂ、１１０ｃ、・・・の間で通話や制御のためのデータを分配／合流させるための中継装置１２０ａ、１２０ｂ、１２０ｃ、・・・と、制御装置１００および中継装置１２０ａ間、各中継装置１２０ａ、１２０ｂ、１２０ｃ、・・・間、各端末機１１０ａ、１１０ｂ、１１０ｃ、・・・および各中継装置１２０ａ、１２０ｂ、１２０ｃ、・・・間ををそれぞれ接続するインターホン幹線１３０ａ、１３０ｂ、１３０ｃ、・・・とで構成されている。
【０００４】
次にインターホン装置の各機器の構成を説明すると、制御装置１００は、各端末機１１０ａ、１１０ｂ、１１０ｃ、・・・からの通話データや制御データを多重化し送受信する伝送制御回路１０１と、通話の回線交換をする交換回路１０２と、通話回線の交換制御や各端末機１１０ａ、１１０ｂ、１１０ｃ、・・・との通信処理を行うＣＰＵ１０３とで構成される。
【０００５】
また、各端末機１１０ａ、１１０ｂ、１１０ｃ、・・・は、インターホン幹線１３０ａ、１３０ｂ、１３０ｃ、・・・を介して通話データや制御データを多重伝送する伝送制御回路１１１と、各種データの通信制御・処理を行い、またインターホンとしての呼出、応答、通話、終話の制御を行うＣＰＵ１１２と、通話先の選局を行う選局スイッチ（ＳＷ）１１３と、呼出および応答を行う呼出・応答スイッチ（ＳＷ）１１４と、着信や通話、セキュリーティー情報などの状態を表示する表示部１１５と、音声信号のＡ／Ｄ変換およびＤ／Ａ変換を行うコーデック１１６と、音声信号を出力するスピーカ１１７と、音声信号を入力するマイク１１８とから構成されている。
【０００６】
次に従来の情報幹線設備の構成について説明すると、この情報幹線設備は情報系データの配信／制御等を行うサーバー１５０と、情報系データを分配／合流させるための集線装置（ＨＵＢ）１６０ａ、１６０ｂ、１６０ｃ、・・・と、パーソナルコンピュータ（ＰＣ）やプリンターなどの情報機器を接続するための情報コンセント１７０ａ、１７０ｂ、１７０ｃ、・・・と、サーバー１５０と集線装置１６０ａ間、各集線装置１６０ａ、１６０ｂ、１６０ｃ、・・・間および集線装置１６０ａ、１６０ｂ、１６０ｃ、・・・と情報コンセント１７０ａ、１７０ｂ、１７０ｃ、・・・間を接続する情報幹線１８０ａ、１８０ｂ、１８０ｃ、１８０ｄ、１８０ｅ、・・・で構成される。
【０００７】
このようなインターホン装置と情報幹線設備において、まず、インターホンの呼出から通話成立までの基本動作について説明すると、端末機１１０ａにおいて選局スイッチ　１１３にて端末機１１０ｂを選局し、呼出・応答スイッチ　１１４で相手方を呼び出すと、ＣＰＵ　１１２から呼出要求を送信し制御データとして伝送制御回路１１１にて多重化され、インターホン幹線１３０ｃ、１３０ｂ、１３０ａ、・・・を介して制御装置１００に伝送され、制御装置１００の伝送制御回路１０１で、制御データが受信されＣＰＵ１０３にて呼出要求が解釈される。
【０００８】
ここで、回線が空いていると相手方端末機１１０ｂに呼出要求が、また呼出側端末機１１０ａには呼出確認がＣＰＵ１０３によって、制御データとして送出され伝送制御回路１０１にて多重化されてインターホン幹線１３０ａ、１３０ｂ、１３０ｃ、・・・を介して各端末１１０ａおよび１１０ｂへ伝送される。各端末機１１０ａおよび１１０ｂでは、おのおの伝送制御回路１１１で制御データが取り出され、ＣＰＵ１１２にて自局アドレスと比較し一致したとき呼出要求および呼出確認が解釈される。
【０００９】
端末１１０ｂが応答のため呼出・応答スイッチ　１１４を操作すると、上記と同様にして制御装置１００に伝送され、制御装置１００のＣＰＵ１０３が回線交換回路１０２を制御し、また各端末機１１０ａおよび１１０ｂに対して通話開始要求を送出すると、上記と同様にして各端末機１１０ａおよび１１０ｂに通話開始要求が伝送され、各端末機１１０ａおよび１１０ｂではマイク１１８より入力された音声信号が、音声コーデック１１６でＡ／Ｄ変換され通話データとして送出され伝送制御回路１１１にて多重化され、インターホン幹線１３０ａ、１３０ｂ、１３０ｃ、・・・を介して相手方において伝送制御回路１１１で通話データとして取り出され音声コーデック１１６にてＤ／Ａ変換されスピーカ１１７から音声信号として出力されることにより通話が成立する
次に情報幹線設備の動作について、パーソナルコンピュータ１９０よりサーバー１５０へのアクセスについて説明すると、パーソナルコンピュータ１９０よりサーバー１５０へ送信要求を出力すれば、情報コンセント１７０ａを介して集線装置（ＨＵＢ）１６０ｄで中継され、さらに集線装置１６０ａで中継されサーバー１５０にて受信され、パーソナルコンピュータ１９０とサーバー１５０との間でパケットの送受信が開始される。
【００１０】
【特許文献１】特開２００１−２９８７３２公報　（段落００１９〜００４６）
【００１１】
【発明が解決しようとする課題】
しかしながら、このように従来は、インターホン装置とローカルエリアネットワーク（ＬＡＮ）などの情報幹線設備とは別途敷設されており、またローカルエリアネットワーク幹線設備は幹線トポロジーがスター幹線であるためサーバーから何本もの幹線を敷設する必要があり、２つの設備を設置するにはコストがかかるといった難点があった。
【００１２】
本発明は、このような難点を解決するためになされたもので、インターホン装置と情報幹線設備を統合化することにより一つの設備で、インターホン装置および情報幹線設備を敷設することができるようにしたインターホン装置を提供することを目的とする。
【００１３】
【課題を解決するための手段】
このような目的を達成するため、本発明のインターホン装置は、インターホンの通話の交換制御を行うための制御装置と、制御装置で交換制御されて通話をする複数個の端末機とを備え、制御装置には、ローカルエリアネットワークなどの情報幹線を集線化し収容するための制御装置集線回路を設けたものである。
【００１４】
また、本発明のインターホン装置は、インターホンの通話の交換制御を行うための制御装置と、制御装置で交換制御されて通話をする複数個の端末機とを備え、インターホンの通話や制御データを中継するための中継装置に、ローカルエリアネットワークなどの情報幹線を集線化し収容するための中継装置集線回路を設けたものである。
【００１５】
また、本発明のインターホン装置は、インターホンの通話の交換制御を行うための制御装置と、制御装置で交換制御されて通話をする複数個の端末機を備え、端末機に、ローカルエリアネットワークなどの情報幹線を集線化し収容するための端末機集線回路を備えたものである。
【００１６】
また、本発明のインターホン装置は、パーソナルコンピュータ等の情報機器を、制御装置に直接接続することができるようにするために接続端子としての情報コンセントを備えたものである。
【００１７】
また、本発明のインターホン装置は、パーソナルコンピュータ等の情報機器を、中継装置に直接接続するための接続端子としての情報コンセントを備えたものである。
【００１８】
また、本発明のインターホン装置は、パーソナルコンピュータ等の情報機器を、端末機に直接接続することができるようにするために接続端子としての情報コンセントを備えたものである。
【００１９】
また、中継装置集線回路は、情報幹線、インターホンの通話に使用するインターホン幹線で異常があった場合やトラフィックの状態に応じてインターホン幹線と情報幹線とが相互に空き回線を融通し使用するためのプロトコル変換回路を備えたものである。
【００２０】
また、中継装置集線回路は、個々の接続先へのデータのセキュリティーを確保するために、個々の接続先のアドレスを学習し接続先以外へデータを流すことを防止するスイッチ回路を備えたものである。
【００２１】
このインターホン装置によれば、情報幹線を別途に敷設するコストを下げることが可能であり、また複数回線を持っているためネットワークの異常時に即回線を相互に融通することが可能であるので信頼性の高いインターホンおよび情報幹線を敷設できる。
【００２２】
【発明の実施の形態】
以下、本発明のインターホン装置の好ましい一実施例の形態について、図面を参照して説明する。
【００２３】
図１に示すように本発明のインターホン装置は、インターホンの通話の交換制御を行うための制御装置１と、情報コンテンツを配信・制御するためのサーバー２と、制御装置１で交換制御されて通話をする複数個の端末機３ａ、３ｂ、３ｃ、・・・と、インターホン系信号Ｓ１、情報系信号Ｓ２を中継するための中継装置４ａ、４ｂ、４ｃ、・・・と、サーバー２と中継装置４ａ、４ｂ、４ｃ、・・・を接続するための情報幹線５および制御装置１と中継装置４ａ、４ｂ、４ｃ、・・・を接続するためのインターホン幹線６とから構成される。
【００２４】
次に各機器の構成について説明すると、制御機１は、サーバー２や外部のネットワークと接続するための端子である情報コンセント１１と、ローカルエリアネットワークＬＡＮなどの情報幹線５を集線化し収容するための制御装置集線回路１２と、制御装置集線回路１２を経由してサーバー２や外部のローカルエリアネットワークＬＡＮと通信するための伝送制御回路１３と、各端末機３ａ、３ｂ、３ｃ、・・・と通話データや制御データを通信するための伝送制御回路１４と、各端末機３ａ、３ｂ、３ｃ、・・・間の通話回線の交換制御を行う交換回路１５と、通話回線の交換制御および端末機３ａ、３ｂ、３ｃ、・・・、サーバー２、外部のネットワークと通信制御するＣＰＵ１６とから構成されている。
【００２５】
インターホンの通話や制御データを中継するための中継装置４ａ、４ｂ、４ｃ、・・・には、ローカルエリアネットワークＬＡＮなどの情報幹線５を集線化し収容するための中継装置集線回路４１が設けられている。また、中継装置４ａ、４ｂ、４ｃ、・・・は、インターホンの通話データや制御データを中継するためのインターホン集線回路４３を有している。インターホン集線回路４３はそれぞれの空き回線を相互に融通できるように中継装置集線回路４１に接続されている。
【００２６】
複数個の端末機２ａ、２ｂ、２ｃ、・・・には、ローカルエリアネットワークＬＡＮなどの情報幹線５を集線化し収容するための端末機集線回路３１が備えられ、この端末機集線回路３１は情報幹線５を介してサーバー２から情報コンテンツを配信・制御するための伝送制御回路３１ａと、インターホン系幹線６を介して通話データや制御データを多重伝送する伝送制御回路３１ｂとを有している。また、複数個の端末機２ａ、２ｂ、２ｃ、・・・には、伝送制御回路３１ａを介して外部の情報機器をサーバーや外部のネットワークと接続するための情報コンセント３２と、各種データの通信制御・処理を行い、またインターホンとしての呼出、応答、通話、終話の制御を行うＣＰＵ　３３と、通話先の選局を行う選局スイッチ３４と、呼出および応答を行う呼出・応答スイッチ　３５と、着信や通話、セキュリーティー情報などの状態を表示する表示部３６と、音声信号のＡ／Ｄ変換およびＤ／Ａ変換を行うコーデック３７と、音声信号を出力するスピーカ３８と、音声信号を入力するマイク３９とが設けられている。
【００２７】
このインターホン装置は、パーソナルコンピュータ７等の情報機器を、制御装置１に直接接続することができるようにするために接続端子としての情報コンセント１１を備えている。
【００２８】
このインターホン装置は、パーソナルコンピュータ７等の情報機器を、中継装置４ａ、４ｂ、４ｃ、・・・に直接接続するための接続端子としての情報コンセント４２を備えている。
【００２９】
このインターホン装置は、パーソナルコンピュータ７等の情報機器を、端末機３ａ、３ｂ、３ｃ、・・・に直接接続することができるようにするために接続端子としての情報コンセント３２を備えている。
【００３０】
中継装置集線回路４１は、情報幹線５、インターホンの通話に使用するインターホン幹線６で異常があった場合やトラフィックの状態に応じてインターホン幹線６と情報幹線５とが相互に空き回線を融通し使用するためのプロトコル変換回路４１ａを備えている。
【００３１】
中継装置集線回路４１は、個々の接続先へのデータのセキュリティーを確保するために、個々の接続先のアドレスを学習し接続先以外へデータを流すことを防止するスイッチ回路４１ｂを備えている。
【００３２】
このように構成されたインターホン装置において、まずインターホンの呼出から通話成立までの基本動作について説明すると、端末機３ａにおいて選局スイッチ３４にて端末機３ｂを選局し、呼出・応答スイッチ３５で相手方を呼び出し、ＣＰＵ３３から呼出要求を送信すると制御データとして端末機集線回路３１の伝送制御回路３１ｂにて多重化され、インターホン幹線６を介して制御装置１に伝送され、制御装置１において、伝送制御回路１４で制御データが受信され、ＣＰＵ１６にて呼出要求が解釈される。
【００３３】
ここで、回線が空いていると相手方端末機３ｂに呼出要求が、また呼出側端末機３ａには呼出確認がＣＰＵ１６によって、制御データとして送出され伝送制御回路１４にて多重化されてインターホン幹線６を介して各端末３ａおよび３ｂへ伝送される。各端末機３ａおよび３ｂでは、おのおの伝送制御回路３１ｂで制御データが取り出され、ＣＰＵ３３にて自局アドレスと比較し一致したとき呼出要求および呼出確認が解釈される。
【００３４】
端末３ｂが応答のため呼出・応答スイッチ　３５を操作すると、上記と同様にして制御装置１に伝送され、制御装置１において、ＣＰＵ　１６が回線交換回路１５を制御し、また各端末機３ａおよび３ｂに対して通話開始要求を送出すると、上記と同様にして各端末機３ａおよび３ｂに通話開始要求が伝送され、各端末機３ａおよび３ｂではマイク３９より入力された音声信号が、音声コーデック３７でＡ／Ｄ変換され通話データとして送出され伝送制御回路３１ｂにて多重化され、インターホン幹線６を介して相手方において伝送制御回路３１ｂで通話データとして取り出され音声コーデック３７にてＤ／Ａ変換されスピーカ３８から音声信号として出力されることにより通話が成立する。
【００３５】
次に情報幹線設備の動作について、一例として、端末機３ａの情報コンセント３２に情報機器としてパーソナルコンピュータ７が接続された場合について説明すると、パーソナルコンピュータ７が、端末機３ａの情報コンセント３２を介して、伝送制御回路３１ａにて情報系幹線５に適したフレームフォーマット変換し、中継装置４ａ、４ｂ、４ｃ、・・・を経由して、制御装置１内の情報コンセント１１および情報幹線制御装置集線回路１２にて、サーバー２に接続され所望のデータまたはプログラムにアクセスされる。
【００３６】
また、上述の通信において、制御装置１内の情報幹線制御装置集線回路１２および中継装置４ａ、４ｂ、４ｃ、・・・内の情報幹線中継装置集線回路４１のスイッチ回路４１ｂは、情報系信号Ｓ２内のあて先からサーバー２およびパーソナルコンピュータ７が接続された特定の情報コンセント１１、３２のポートに対して振り分けを行うように学習し、他の情報コンセント４２に通信内容を漏らすのを防止することにより秘匿性を確保している。
【００３７】
さらに、情報系幹線５またはインターホン幹線６に異常があった場合や各々の幹線のトラフィックが混んだ場合には、情報幹線５とインターホン幹線６は中継装置４ａ、４ｂ、４ｃ、・・・のプロトコル変換回路４１ａにて、トラフィックの状態に応じて自動的に相互に空き回線を融通し使用することによって幹線が不通となることを防ぐ。
【００３８】
【発明の効果】
以上の説明から明らかなように、本発明のインターホン装置によれば、情報幹線を別途に敷設するコストを下げることが可能であり、また複数回線を持っているためネットワークの異常時に即回線を相互に融通することが可能であるので信頼性の高いインターホンおよび情報幹線を敷設できる。
【図面の簡単な説明】
【図１】本発明によるインターホン装置の一実施例の全体構成を示すブロック図。
【図２】従来のインターホン装置および情報幹線設備における全体構成を示すブロック図。
【符号の説明】
１・・・制御装置
３ａ、３ｂ、３ｃ、・・・・・・複数個の端末機
４ａ、４ｂ、４ｃ、・・・・・・中継装置
ＬＡＮ・・・ローカルエリアネットワーク
５・・・情報幹線
６・・・インターホン幹線
７・・・パーソナルコンピュータ
１２・・・制御装置集線回路
４１・・・中継装置集線回路
３１・・・端末機集線回路
１１・・・接続端子としての情報コンセント
４２・・・接続端子としての情報コンセント
３２・・・接続端子としての情報コンセント
４１ａ・・・プロトコル変換回路
４１ｂ・・・スイッチ回路
【図１】
2004120162.tif 000003
【図２】
2004120162.tif 000004